(57)【要約】【課題】アプリケーションのマーケティングチャネルを追跡する方法およびシステムが開示される。【解決手段】コンピュータによって実現されるマーケティングチャネル追跡方法であって、アプリケーションに対するマーケティングチャネルを提供するエディタに対し、アプリケーションおよびエディタを識別するための識別情報を生成すること、およびユーザ端末機がマーケティングチャネルを経てアプリケーションをダウンロードした場合、識別情報をユーザ端末機と互いに関連付けて格納することを含むマーケティングチャネル追跡方法を提供する。【選択図】図４
2015210825.tif 000002
【特許請求の範囲】
【請求項１】
コンピュータによって実現されるマーケティングチャネル追跡方法であって、
アプリケーションに対するマーケティングチャネルを提供するエディタに対し、前記アプリケーションおよび前記エディタを識別するための識別情報を生成すること、および
ユーザ端末機が前記マーケティングチャネルを経て前記アプリケーションをダウンロードした場合、前記識別情報を前記ユーザ端末機と互いに関連付けて格納すること
を含む、マーケティングチャネル追跡方法。
【請求項２】
前記マーケティングチャネルは、前記エディタが前記アプリケーションを広報し、前記アプリケーションのダウンロードを誘導するためのオンライン上のチャネルを含むこと
を特徴とする、請求項１に記載のマーケティングチャネル追跡方法。
【請求項３】
前記格納することは、
前記エディタで、前記ユーザ端末機から伝達される前記識別情報を利用して前記アプリケーションの前記マーケティングチャネルを経たダウンロードを識別すること
を含む、請求項１に記載のマーケティングチャネル追跡方法。
【請求項４】
前記識別情報は、アプリストアサービスを提供するために前記ユーザ端末機にインストールされたアプリストアアプリの制御にしたがって前記ユーザ端末機に伝達されること
を特徴とする、請求項３に記載のマーケティングチャネル追跡方法。
【請求項５】
前記格納することは、
前記エディタから前記ユーザ端末機に伝達される前記識別情報を利用して前記アプリケーションを識別すること、
アプリストアサービスを提供するためのアプリストアアプリが前記ユーザ端末機にインストールされている場合、前記アプリケーションのダウンロードのためのリンクを前記ユーザ端末機に提供すること、および
前記ユーザ端末機に前記アプリケーションがインストールされることにより、前記アプリストアアプリを経て前記ユーザ端末機から前記識別情報が受信されると、前記識別情報を前記ユーザ端末機と互いに関連付けて格納すること
を含む、請求項１に記載のマーケティングチャネル追跡方法。
【請求項６】
前記格納することは、
前記アプリストアアプリが前記ユーザ端末機にインストールされていない場合、前記識別情報をデータベースに格納し、前記識別情報に対するマッチングキーを生成すること、
前記マッチングキーを含んだファイルと前記アプリストアアプリのインストールファイルを合体させたファイルのダウンロードのためのリンクを前記ユーザ端末機に提供すること、および
前記ユーザ端末機に前記アプリストアアプリがインストールされることにより、前記アプリストアアプリを経て前記ユーザ端末機から前記マッチングキーが受信されると、前記データベースで前記マッチングキーに対応する前記識別情報を確認すること
をさらに含む、請求項５に記載のマーケティングチャネル追跡方法。
【請求項７】
請求項１〜６のうちいずれか一項に記載の方法をコンピュータに実行させるためのプログラム。
【請求項８】
少なくとも１つのプログラムがローディングされたメモリ、および
少なくとも１つのプロセッサ
を備え、
前記少なくとも１つのプロセッサは、前記プログラムの制御にしたがい、
アプリケーションに対するマーケティングチャネルを提供するエディタに対し、前記アプリケーションおよび前記エディタを識別するための識別情報を生成すること、および
ユーザ端末機が前記マーケティングチャネルを経て前記アプリケーションをダウンロードした場合、前記識別情報を前記ユーザ端末機と互いに関連付けて格納すること
を処理する、マーケティングチャネル追跡システム。
【請求項９】
前記マーケティングチャネルは、前記エディタが前記アプリケーションを広報し、前記アプリケーションのダウンロードを誘導するためのオンライン上のチャネルを含むこと
を特徴とする、請求項８に記載のマーケティングチャネル追跡システム。
【請求項１０】
前記格納することは、
前記エディタで、前記ユーザ端末機に伝達される前記識別情報を利用して前記アプリケーションの前記マーケティングチャネルを経たダウンロードを識別すること
を含む、請求項８に記載のマーケティングチャネル追跡システム。
【請求項１１】
前記識別情報は、アプリストアサービスを提供するために前記ユーザ端末機にインストールされたアプリストアアプリの制御にしたがって前記ユーザ端末機に伝達されること
を特徴とする、請求項１０に記載のマーケティングチャネル追跡システム。
【請求項１２】
前記格納することは、
前記エディタから前記ユーザ端末機に伝達される前記識別情報を利用して前記アプリケーションを識別すること、
アプリストアサービスを提供するためのアプリストアアプリが前記ユーザ端末機にインストールされている場合、前記アプリケーションのダウンロードのためのリンクを前記ユーザ端末機に提供すること、および
前記ユーザ端末機に前記アプリケーションがインストールされることにより、前記アプリストアアプリを経て前記ユーザ端末機から前記識別情報が受信されると、前記識別情報を前記ユーザ端末機と互いに関連付けて格納すること
を含む、請求項８に記載のマーケティングチャネル追跡システム。
【請求項１３】
前記格納することは、
前記アプリストアアプリが前記ユーザ端末機にインストールされていない場合、前記識別情報をデータベースに格納し、前記識別情報に対するマッチングキーを生成すること、
前記マッチングキーを含んだファイルと前記アプリストアアプリのインストールファイルを合体させたファイルのダウンロードのためのリンクを前記ユーザ端末機に提供すること、および
前記ユーザ端末機に前記アプリストアアプリがインストールされることにより、前記アプリストアアプリを経て前記ユーザ端末機から前記マッチングキーが受信されると、前記データベースで前記マッチングキーに対応する前記識別情報を確認すること
をさらに含む、請求項１２に記載のマーケティングチャネル追跡システム。
【発明の詳細な説明】
【技術分野】
【０００１】
本発明の実施形態は、アプリケーション（ａｐｐｌｉｃａｔｉｏｎ）のマーケティングチャネルを追跡する技術に関する。
【背景技術】
【０００２】
スマートフォンと一般の携帯電話とで根本的に異なる部分は、スマートフォンは用途に応じて応用プログラムであるアプリケーション（ａｐｐｌｉｃａｔｉｏｎ）（以下、「アプリ」（Ａｐｐ）とする）を追加でインストールして活用することができるという点にある。
【０００３】
最近は、アプリを自由に購入および販売することができるオンライン上の「モバイルコンテンツ市場」が活性化しているが、このようなモバイルコンテンツ市場は一般的に、アプリケーションストアの略語であるアプリストア（Ａｐｐ  ｓｔｏｒｅ）と呼ばれている。
【０００４】
ユーザは一般にアプリストアから必要なアプリをダウンロードして自身の端末機にインストールしたり活用したりする。アプリストアは個別のアプリに対してダウンロードページを提供するが、このとき、ダウンロードページでは当該アプリをユーザ端末機にダウンロードさせるためのリンクを提供する。
【０００５】
アプリストアを提供する技術の一例として、韓国公開特許第１０−２０１１−０１１３２３２号（公開日２０１１年１０月１７日）には、携帯端末で複数のアプリストアの中から希望する少なくとも１つのアプリストアを選択して利用できるようにする技術が開示されている。
【先行技術文献】
【特許文献】
【０００６】
韓国公開１０−２０１１−０１１３２３２
【発明の概要】
【発明が解決しようとする課題】
【０００７】
本発明は、アプリケーションのダウンロードを誘導するマーケティングチャネルを追跡する方法およびシステムを提供する。
【０００８】
また、本発明は、マーケティングチャネルとユーザ間のマッチングによってマーケティングチャネルを追跡することができる方法およびシステムを提供する。
【課題を解決するための手段】
【０００９】
コンピュータによって実現されるマーケティングチャネル追跡方法であって、アプリケーションに対するマーケティングチャネルを提供するエディタに対し、前記アプリケーションおよび前記エディタを識別するための識別情報を生成すること、およびユーザ端末機が前記マーケティングチャネルを経て前記アプリケーションをダウンロードした場合、前記識別情報を前記ユーザ端末機と互いに関連付けて格納することを含むマーケティングチャネル追跡方法を提供する。
【００１０】
本発明の一側面によると、前記マーケティングチャネルは、前記エディタが前記アプリケーションを広報し、前記アプリケーションのダウンロードを誘導するためのオンライン上のチャネルを含んでもよい。
【００１１】
本発明の他の側面によると、前記格納することは、前記エディタで、前記ユーザ端末機から伝達された前記識別情報を利用して前記アプリケーションの前記マーケティングチャネルを経たダウンロードを識別することを含んでもよい。
【００１２】
本発明のさらに他の側面によると、前記識別情報は、アプリストアサービスを提供するために前記ユーザ端末機にインストールされたアプリストアアプリの制御にしたがって前記ユーザ端末機から伝達されてもよい。
【００１３】
本発明のさらに他の側面によると、前記格納することは、前記エディタで、前記ユーザ端末機から伝達された前記識別情報を利用して前記アプリケーションを識別すること、アプリストアサービスを提供するためのアプリストアアプリが前記ユーザ端末機にインストールされている場合、前記アプリケーションのダウンロードのためのリンクを前記ユーザ端末機に提供すること、および前記ユーザ端末機に前記アプリケーションがインストールされることにより、前記アプリストアアプリを利用して前記ユーザ端末機から前記識別情報が受信されると、前記識別情報を前記ユーザ端末機と互いに関連付けて格納することを含んでもよい。
【００１４】
本発明のさらに他の側面によると、前記格納することは、前記アプリストアアプリが前記ユーザ端末機にインストールされていない場合、前記識別情報をデータベースに格納し、前記識別情報に対するマッチングキーを生成すること、前記マッチングキーを含んだファイルと前記アプリストアアプリのインストールファイルが合体したファイルのダウンロードのためのリンクを前記ユーザ端末機に提供すること、および前記ユーザ端末機に前記アプリストアアプリがインストールされることにより、前記アプリストアアプリを利用して前記ユーザ端末機から前記マッチングキーが受信されると、前記データベースで前記マッチングキーに対応する前記識別情報を確認することをさらに含んでもよい。
【００１５】
少なくとも１つのプログラムがローディングされたメモリ、および少なくとも１つのプロセッサを備え、前記少なくとも１つのプロセッサは、前記プログラムの制御にしたがい、アプリケーションに対するマーケティングチャネルを提供するエディタに対し、前記アプリケーションおよび前記エディタを識別するための識別情報を生成すること、およびユーザ端末機が前記マーケティングチャネルを経て前記アプリケーションをダウンロードした場合、前記識別情報を前記ユーザ端末機と互いに関連付けて格納することを処理するマーケティングチャネル追跡システムを提供する。
【発明の効果】
【００１６】
本発明の実施形態によると、マーケティングチャネルとユーザ間のマッチングによってアプリケーションに対するマーケティングチャネルを完璧に追跡することができる。
【００１７】
また、本発明の実施形態によると、マーケティングチャネルとユーザ間のマッチングを、別途の作業時間を必要とせずにほぼリアルタイムで行うことができる。
【図面の簡単な説明】
【００１８】
【図１】本発明の一実施形態において、マーケティングチャネル追跡システムを示した図である。
【図２】本発明の一実施形態において、マーケティングチャネル追跡過程を示した図である。
【図３】本発明の一実施形態において、識別情報の伝達過程の例を示した図である。
【図４】本発明の一実施形態において、アプリストアアプリがインストールされていないユーザを追跡する方法を示した図である。
【図５】本発明の一実施形態において、マーケティングチャネル追跡システムの内部構成を説明するためのブロック図である。
【図６】本発明の一実施形態において、マーケティングチャネル追跡方法を示したフローチャートである。
【発明を実施するための形態】
【００１９】
以下、本発明の実施形態について、添付の図面を参照しながら詳細に説明する。
【００２０】
本発明の実施形態に係るマーケティングチャネル追跡システムおよびマーケティングチャネル追跡方法では、複数のアプリケーションと、アプリケーションに対する広報者であるエディタ、そしてエディタを経てアプリケーションをダウンロードしたユーザを互いに関連付けて管理してもよい。したがって、マーケティングチャネル追跡システムおよびマーケティングチャネル追跡方法では、マーケティングチャネルとユーザ間のマッチングにより、アプリケーションを広報するエディタのマーケティングチャネルを正確かつ効果的に追跡（ｔｒａｃｋｉｎｇ）することができる。
【００２１】
図１は、本発明の一実施形態において、マーケティングチャネル追跡システムを示した図である。図１は、マーケティングチャネル追跡システム１００、エディタシステム１２０、およびユーザシステム１３０を示している。それぞれのシステムは、メモリとプロセッサ、そしてネットワークインタフェースを備えたコンピュータシステムによって実現されてもよく、ネットワークインタフェースを利用して有線または無線で他のシステムと通信することができる装置であってもよい。
【００２２】
マーケティングチャネル追跡システム１００は、アプリストアに含まれるシステムまたはアプリストアと連携するシステムによって実現されてもよい。図１では、マーケティングチャネル追跡システム１００がアプリストアシステム１１０に含まれるシステムで実現された例を説明している。開発者が利用する装置である開発者システム（図示せず）は、開発者の操作にしたがってネットワークを介してアプリストアシステム１１０に接続し、自身が開発したアプリケーションに関する情報およびアプリケーションをインストールするためのインストールファイルをアップロードし、当該アプリケーションに対してエディタを利用した広報を行うか否かを選択してもよい。
【００２３】
エディタシステム１２０は、エディタがマーケティングチャネル追跡システム１００とネットワークを介して通信するために利用する装置を含んでもよい。エディタシステム１２０は、アプリストアシステム１１０内でマーケティングチャネル追跡システム１００が提供するアプリケーションに関する情報を利用して特定のアプリケーションを選択してもよい。この場合、マーケティングチャネル追跡システム１００は、選択されたアプリケーションとエディタを互いに関連付けてデータベースに格納および管理してもよく、エディタは、マーケティングチャネルを経て選択したアプリケーションをユーザに広報してもよい。
【００２４】
本明細書において「マーケティングチャネル」とは、エディタがユーザにアプリケーションを広報してダウンロードを誘導するためのオンライン上のチャネルを意味してもよい。オンライン上のチャネルの例として、エディタａは、自身のモバイルホームページに、アプリケーションに関する情報と共に、アプリケーションのダウンロードページへのリンクを設定してもよい。このとき、端末機からエディタのモバイルホームページを訪問したユーザ１は、リンクからダウンロードページを訪問してアプリケーションをダウンロードおよびインストールしてもよい。
【００２５】
また、エディタは、特定の人物に限定されるのではなく、特定のサイトや特定の会社として識別されてもよい。例えば、特定の会社は、当該会社が保有している多様なオンライン上のマーケティングチャネルを利用してアプリケーションを広報してもよい。さらに具体的な例として、ゲーム関連の情報を提供する会社は、ゲームアプリケーションの自主的なバナー広告を会社のサイトに表示してユーザの関心を誘導してもよい。
【００２６】
エディタシステム１２０を利用してアプリストアシステム１１０にアクセスしたエディタは、アプリケーションのうちから所望するアプリケーションを選択してマーケティングチャネルを経て広報を行ってもよく、ユーザは、エディタの広報にしたがってユーザシステム１３０にアプリケーションをダウンロードおよびインストールしてもよい。例えば、マーケティングチャネルは、アプリストアシステム１１０が提供するアプリケーションのダウンロードページへのリンクを提供してもよく、ユーザシステム１３０は、リンクを経てアプリストアシステム１１０からアプリケーションをダウンロードしてユーザシステム１３０にインストールしてもよい。
【００２７】
本実施形態において、マーケティングチャネル追跡システム１００は、ユーザシステム１３０がダウンロードしたアプリケーションを広報したエディタのマーケティングチャネルをユーザシステム１３０とマッチングさせることにより、当該アプリケーションに対するユーザの流入チャネルを追跡してもよい。マーケティングチャネル追跡システム１００は、アプリストアシステム１１０内でマーケティングチャネルとユーザとをマッチングさせることにより、アプリケーションに対して１００％の追跡が可能となる。マーケティングチャネル追跡システム１００で多様なマーケティングチャネルを経てアプリケーションをダウンロードしたユーザとエディタとのマーケティングチャネルをどのように関連付けるかについては、後述にてさらに詳しく説明する。
【００２８】
ユーザシステム１３０は、ユーザの装置を含んでもよい。一例として、ユーザシステム１３０は、マーケティングチャネルによって広報されたアプリケーションをダウンロードしてインストールすることができるスマートフォンのような装置であってもよい。マーケティングチャネル追跡システム１００は、ユーザシステム１３０にアプリストアアプリがインストールされ、アプリストアアプリが提供するサービスに加入している場合には、ユーザシステム１３０がエディタシステム１２０のマーケティングチャネルを経てアプリケーションをダウンロードおよびインストールすることを容易に追跡することができる。さらに、マーケティングチャネル追跡システム１００は、ユーザシステム１３０にアプリストアアプリがインストールされていない場合には、ユーザシステム１３０が流入したマーケティングチャネルに対してユーザシステム１３０をマッチングさせることにより、マーケティングチャネルから流入したユーザのうちアプリストアアプリがインストールされていないユーザを追跡することができる。
【００２９】
以下では、エディタとユーザをどのようにマッチングするかについて説明する。
【００３０】
図２は、本発明の一実施形態において、マーケティングチャネル追跡過程を示した図である。図２は、マーケティングチャネル追跡システム２００、エディタ２２０、およびユーザ２３０間のマーケティングチャネル追跡過程の例を示している。マーケティングチャネル追跡システム２００、エディタ２２０、およびユーザ２３０間のデータの伝達は、マーケティングチャネル追跡システム２００、エディタ２２０、およびユーザ２３０に対応する装置間のネットワークを介したデータ通信によってなされるが、図２では説明の便宜のために装置についての説明は省略する。
【００３１】
段階２０１で、マーケティングチャネル追跡システム２００は、エディタ２２０に識別情報を提供してもよい。例えば、マーケティングチャネル追跡システム２００は、特定のアプリケーションを広報しようとするエディタ２２０にエディタ識別子を割り当て、エディタ識別子とエディタ２２０が広報しようとするアプリケーションのアプリケーション識別子を含む識別情報を生成してエディタ２２０に提供してもよい。アプリケーション識別子は、アプリケーションの識別コードとアプリケーションをダウンロードするために提供されるアプリストアアプリページのＵＲＬを含んでもよい。
【００３２】
段階２０２で、エディタ２２０は、マーケティングチャネルを経てアプリケーションをダウンロードしようとするユーザ２３０に識別情報を提供してもよい。例えば、マーケティングチャネルとして提供されるエディタ２２０のページには、アプリケーションのダウンロードができるアプリストアアプリページへのリンクおよびリンクを選択したユーザ２３０の端末機に識別情報を送るための機能が含まれてもよい。
【００３３】
段階２０３で、ユーザ２３０は、ユーザ２３０の端末機にアプリケーションをダウンロードおよびインストールしてもよい。例えば、ユーザ２３０が端末機にダウンロードしようとするアプリケーションの広告バナーをクリックした場合には、アプリストアアプリページに移動して当該アプリケーションをダウンロードおよびインストールしてもよい。言い換えれば、オンライン上のマーケティングチャネルが提供するリンクにしたがい、ユーザ２３０は端末機を利用してアプリストアアプリページにアクセスできるようになる。このとき、エディタ２２０からユーザ２３０に伝達された識別情報は、ユーザ２３０からアプリストアアプリまたはアプリストアアプリページを経てマーケティングチャネル追跡システム２００に送信されてもよい。また、ユーザ２３０を識別するためのユーザ識別子がマーケティングチャネル追跡システム２００にさらに送信されてもよい。識別情報がマーケティングチャネル追跡システム２００に伝達される具体的な過程については、後述にてさらに詳しく説明する。
【００３４】
段階２０４で、マーケティングチャネル追跡システム２００は、アプリケーション、エディタ２２０、およびユーザ２３０を互いに関連付けて格納してもよい。例えば、マーケティングチャネル追跡システム２００は、ユーザ識別子，識別情報を含むエディタ識別子およびアプリケーション識別子を互いに関連付けて格納してもよい。
【００３５】
したがって、マーケティングチャネル追跡システム２００は、アプリケーション、エディタ２２０、およびユーザ２３０を互いに関連付けて格納することにより、マーケティングチャネルとユーザ間のマッチングによって特定のアプリケーションを広報してダウンロードを誘導するマーケティングチャネルに対する追跡が可能となる。
【００３６】
図３は、本発明の一実施形態において、識別情報の伝達過程の例を示した図である。図３の伝達過程に含まれる段階３０１〜３０７は、図２を参照しながら説明した段階２０３に含まれてもよく、ユーザ２３０によって実行されてもよい。上述したように、ユーザ２３０は、実質的にはユーザ２３０の装置であってもよい。以下では、段階３０１〜３０７がユーザ２３０の端末機によって実行される例について説明する。
【００３７】
段階３０１で、ユーザ２３０の端末機は、エディタ２２０が提供するリンクを経てアプリストアアプリページにアクセスした後に、アプリストアアプリが予めインストールされているかを確認し、予めインストールされている場合には段階３０２を実行し、予めインストールされていない場合には段階３０４を実行してもよい。アプリストアアプリは、アプリストアシステムで提供するアプリケーションであってもよい。
【００３８】
アプリストアアプリページは、ユーザ２３０の端末機にアプリストアアプリが予めインストールされているかを確認する機能と、アプリストアアプリが予めインストールされている場合にはアプリケーションのダウンロードページにリダイレクト（ｒｅｄｉｒｅｃｔ）させる機能、およびアプリストアアプリがインストールされていない場合にはアプリストアアプリのインストールファイルを提供する機能を含んでもよい。
【００３９】
段階３０２で、ユーザ２３０の端末機は、サービスにユーザ２３０がログインしているかを確認し、ログインしている場合には段階３０３を実行し、ログインしていない場合には段階３０５を実行してもよい。ここで、サービスは、アプリストアアプリで提供されるサービスであってもよい。
【００４０】
段階３０３で、ユーザ２３０の端末機は、アプリストアシステムからアプリケーションのインストールファイルを受信してアプリケーションをインストールしてもよい。ユーザ２３０はエディタ２２０が提供するリンクを経てアプリストアアプリページに移動するようになるが、このとき、端末機にアプリストアアプリが予めインストールされている場合には、ユーザ２３０がダウンロードしようとするアプリケーションのダウンロードページにリダイレクトされるようにしてもよい。
【００４１】
このように、ユーザ２３０の端末機にアプリストアアプリが予めインストールされおり、ユーザがアプリストアアプリが提供するサービスにログインしている場合、ユーザ２３０の端末機は、アプリストアアプリの制御にしたがってエディタ２２０が提供する識別情報を認識してマーケティングチャネル追跡システム２００に伝達してもよい。言い換えれば、アプリストアアプリは、マーケティングチャネルを利用して伝達される識別情報を認識してマーケティングチャネル追跡システム２００に識別情報を伝達するようにユーザ２３０の端末機を制御するための機能を含んでもよい。
【００４２】
段階３０４で、ユーザ２３０の端末機は、アプリストアアプリをインストールしてもよい。例えば、アプリストアアプリが予めインストールされていない場合には、アプリストアアプリページを利用してエディタ２２０が提供する識別情報がマーケティングチャネル追跡システム２００に伝達され、端末機はマーケティングチャネル追跡システム２００の誘導にしたがってアプリストアアプリのインストールページにアクセスしてアプリストアアプリのインストールファイルを受信し、受信したインストールファイルを利用してアプリストアアプリをインストールしてもよい。
【００４３】
段階３０５で、ユーザ２３０の端末機は、サービスにユーザ２３０が加入しているかを確認し、加入している場合には段階３０６を実行し、加入していない場合には段階３０７を実行してもよい。
【００４４】
段階３０６で、ユーザ２３０の端末機は、ユーザ２３０がサービスにログインする過程を処理してもよい。例えば、端末機は、サービスにログインするためにユーザ２３０が入力する情報を、マーケティングチャネル追跡システム２００またはアプリストアシステムに伝達してもよい。ユーザ２３０がサービスにログインすると、端末機は段階３０３を実行してもよい。
【００４５】
段階３０７で、ユーザ２３０の端末機は、ユーザ２３０がサービスに加入する過程を処理してもよい。例えば、端末機は、サービスに加入するためにユーザ２３０が入力する情報を、マーケティングチャネル追跡システム２００またはアプリストアシステムに伝達してもよい。ユーザ２３０がサービスに加入すると、端末機は段階３０６を実行してもよい。
【００４６】
上述したように、段階３０１でアプリストアアプリがインストールされており、段階３０２でアプリストアアプリから提供されるサービスに加入している場合には、ユーザ２３０がエディタ２２０のマーケティングチャネルを経てアプリケーションをダウンロードおよびインストールすることを容易にトラッキングすることができる。一方、段階３０１でアプリストアアプリが予めインストールされていない場合に、マーケティングチャネル追跡システム２００は、ユーザ２３０がエディタ２２０のマーケティングチャネルを経てアプリケーションをダウンロードおよびインストールしたかを確認することが困難である。しかしながら、本実施形態に係るマーケティングチャネル追跡システム２００は、アプリストアアプリページを利用してユーザ２３０がエディタ２２０から提供された識別情報を取り込むことにより、アプリストアアプリがインストールされていないユーザを追跡することができる。
【００４７】
エディタ２２０のマーケティングチャネルを経て流入したユーザのうち、アプリストアアプリがインストールされていないユーザを追跡する具体的な過程については、後述にてさらに詳しく説明する。
【００４８】
図４は、本発明の一実施形態において、アプリストアアプリがインストールされていないユーザを追跡する方法を示した図である。図４のマーケティングチャネル追跡過程に含まれる段階４０１〜４０６は、マーケティングチャネル追跡システム２００とユーザ２３０間のネットワークを利用したデータ通信によってなされるが、図４では説明の便宜のために装置についての説明は省略する。
【００４９】
段階４０１で、ユーザ２３０の端末機は、アプリストアアプリがインストールされていない場合、アプリストアアプリページを経てエディタ２２０に伝達された識別情報をマーケティングチャネル追跡システム２００に送信してもよい。
【００５０】
段階４０２で、マーケティングチャネル追跡システム２００は、エディタ２２０からユーザ２３０に伝達された識別情報をアプリストアアプリページに取り込むが、このとき、取り込んだ識別情報を内部データベースとして生成し、当該識別情報に対する固有のマッチングキーを生成してもよい。
【００５１】
段階４０３で、マーケティングチャネル追跡システム２００は、マッチングキーを含んだファイルとアプリストアアプリのインストールファイルを合体させた後、合体したファイルのダウンロードのためのリンクをユーザ２３０の端末機に提供してもよい。例えば、マーケティングチャネル追跡システム２００は、エディタ２２０からユーザ２３０に伝達された識別情報に対して生成されたマッチングキーを圧縮（ｒｅｐａｃｋ）サーバに送信し、圧縮サーバによってｔｘｔファイルに所望する情報を入れ、情報が入ったｔｘｔファイルとコピーされたアプリストアのａｐｋファイルを合体させてもよい。このとき、ユーザ２３０の端末機では、アプリストアアプリページ上に合体したファイルに対するダウンロード機能が活性化されてもよい。
【００５２】
段階４０４で、ユーザ２３０の端末機は、アプリストアアプリページで合体したファイルをダウンロードしてアプリストアアプリをインストールしてもよい。例えば、ユーザ２３０がアプリストアアプリページ上で活性化されているダウンロードボタンを入力すると、端末機にアプリストアアプリがダウンロードおよびインストールされてもよい。
【００５３】
段階４０５で、ユーザ２３０の端末機は、アプリストアアプリがインストールされていないことによってダウンロードすることができなかったアプリケーションのダウンロードを再び試みるために、段階４０４でインストールされたアプリストアアプリを駆動するようになるが、このとき、端末機は合体したファイルからマッチングキーを含むファイルを探し、アプリストアアプリを経てマッチングキーをマーケティングチャネル追跡システム２００に送信してもよい。例えば、ユーザ２３０の端末機は、アプリストアアプリが駆動されると、ダウンロードしたファイルからｔｘｔファイルを探し、アプリストアアプリを経てアプリケーションをダウンロードするときに、ｔｘｔファイルに含まれたマッチングキーをマーケティングチャネル追跡システム２００に送信してもよい。
【００５４】
段階４０６で、マーケティングチャネル追跡システム２００は、段階４０２で生成された内部データベースとユーザ２３０の端末機から受信したマッチングキーを合わせて情報マッチングを実行してもよい。言い換えれば、マーケティングチャネル追跡システム２００は、内部データベースでユーザ２３０の端末機から受けたマッチングキーに対応する識別情報を確認し、アプリケーション、エディタ２２０、およびユーザ２３０を互いに関連付けて格納してもよい。
【００５５】
したがって、マーケティングチャネル追跡システム２００は、アプリケーションがユーザ２３０の端末機にダウンロードされるときに、アプリケーション、エディタ２２０、およびユーザ２３０を互いに関連付けて格納することにより、当該アプリケーションを広報したエディタ２２０のマーケティングチャネルを追跡することができる上に、エディタ２２０のマーケティングチャネルを経て流入したユーザのうち、アプリストアアプリがインストールされていないユーザの場合にも、アプリストアアプリのインストールを支援した後にエディタ２２０のマーケティングチャネルを追跡することができる。
【００５６】
図５は、本発明の一実施形態において、マーケティングチャネル追跡システムの内部構成を説明するためのブロック図であり、図６は、本発明の一実施形態において、マーケティングチャネル追跡方法を示したフローチャートである。
【００５７】
本実施形態に係るマーケティングチャネル追跡システム５００は、プロセッサ５１０、バス５２０、ネットワークインタフェース５３０、およびメモリ５４０を備えてもよい。メモリ５４０は、オペレーティングシステム５４１およびマーケティングチャネル追跡ルーチン５４２を備えてもよい。プロセッサ５１０は、生成部５１１、ファイル提供部５１２、および情報マッチング部５１３を備えてもよい。他の実施形態において、マーケティングチャネル追跡システム５００は、図５に示す構成要素よりも多くの構成要素を備えてもよい。しかし、大部分の従来技術と関連する構成要素を明確に図に示す必要はない。例えば、マーケティングチャネル追跡システム５００は、ディスプレイやトランシーバ（ｔｒａｎｓｃｅｉｖｅｒ）のような他の構成要素を備えてもよい。
【００５８】
メモリ５４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような非消滅性大容量記録装置（ｐｅｒｍａｎｅｎｔ  ｍａｓｓ  ｓｔｏｒａｇｅ  ｄｅｖｉｃｅ）を含んでもよい。また、メモリ５４０には、オペレーティングシステム５４１とマーケティングチャネル追跡ルーチン５４２のためのプログラムコードが格納されてもよい。このようなソフトウェア構成要素は、ドライブメカニズム（ｄｒｉｖｅ  ｍｅｃｈａｎｉｓｍ）（図示せず）を利用してメモリ５４０とは別途のコンピュータで読み取り可能な記録媒体からローディングされてもよい。このような別途のコンピュータで読み取り可能な記録媒体は、フロッピドライブ、ディスク、テープ、ＤＶＤ／ＣＤ−ＲＯＭドライブ、メモリカードなどのコンピュータで読み取り可能な記録媒体（図示せず）を含んでもよい。他の実施形態において、ソフトウェア構成要素は、コンピュータで読み取り可能な記録媒体ではないネットワークインタフェース５３０を利用してメモリ５４０にローディングされてもよい。
【００５９】
バス５２０は、マーケティングチャネル追跡システム５００の構成要素間の通信およびデータ送信を可能にしてもよい。バス５２０は、高速シリアルバス（ｈｉｇｈ−ｓｐｅｅｄ  ｓｅｒｉａｌ  ｂｕｓ）、並列バス（ｐａｒａｌｌｅｌ  ｂｕｓ）、ＳＡＮ（Ｓｔｏｒａｇｅ  Ａｒｅａ  Ｎｅｔｗｏｒｋ）、および／または他の適切な通信技術を利用して構成されてもよい。
【００６０】
ネットワークインタフェース５３０は、マーケティングチャネル追跡システム５００をコンピュータネットワークに接続するためのコンピュータハードウェア構成要素であってもよい。ネットワークインタフェース５３０は、マーケティングチャネル追跡システム５００を無線または有線接続によってコンピュータネットワークに接続させてもよい。
【００６１】
プロセッサ５１０は、基本的な算術、ロジック、およびマーケティングチャネル追跡システム５００の入出力演算を実行することにより、コンピュータプログラムの命令を処理するように構成されてもよい。命令は、メモリ５４０またはネットワークインタフェース５３０により、そしてバス５２０を経てプロセッサ５１０に提供されてもよい。プロセッサ５１０は、生成部５１１、ファイル提供部５１２、および情報マッチング部５１３のためのプログラムコードを実行するように構成されてもよい。このようなプログラムコードは、メモリ５４０のような記録装置に格納されてもよい。
【００６２】
生成部５１１、ファイル提供部５１２、および情報マッチング部５１３は、図６の段階６１０〜６３０を実行するために構成されてもよい。
【００６３】
段階６１０で、生成部５１１は、エディタに対してエディタ識別子を割り当て、エディタ識別子とエディタが広報しようとするアプリケーション識別子を含む識別情報を生成して各エディタに提供してもよい。アプリケーション識別子は、アプリケーションの識別コードとアプリケーションのダウンロードのために提供されるアプリストアアプリページのＵＲＬを含んでもよい。言い換えれば、生成部５１１は、アプリケーションに対するマーケティングチャネルを追跡するために、アプリケーションを広報するエディタを対象としてエディタ識別子とアプリケーション識別子を含む識別情報を生成および提供してもよい。これにより、エディタは、マーケティングチャネルを経て自身が広報するアプリケーションをダウンロードしようとするユーザ端末機に識別情報を提供してもよく、ユーザ端末機は、アプリケーションのダウンロードのためにエディタから受けた識別情報をアプリストアアプリまたはアプリストアアプリページを経てマーケティングチャネル追跡システム５００に送信してもよい。このとき、ユーザ端末機は、エディタから受けた識別情報をマーケティングチャネル追跡システム５００に送信するときに、ユーザを識別するためのユーザ識別情報を共に送信してもよい。
【００６４】
段階６２０で、ファイル提供部５１２は、ユーザ端末機から受信した識別情報にしたがってユーザがダウンロードしようとするアプリケーションを識別し、当該アプリケーションのインストールファイルをダウンロードするためのリンクをユーザ端末機に提供してもよい。より詳細に説明すると、ファイル提供部５１２は、アプリストアアプリ内でアプリケーションのダウンロードができるようにするが、アプリストアアプリが予めインストールされているユーザの場合には、ユーザがエディタから受けた識別情報を取り込んでアプリケーションを識別した後、アプリストアアプリを利用して当該アプリケーションのダウンロードのためのリンクを提供してもよい。一方、ファイル提供部５１２は、アプリストアアプリがインストールされていないユーザの場合には、アプリストアアプリページを経てユーザがエディタから受けた識別情報を取り込んで先にアプリストアアプリのインストールを誘導した後、アプリストアアプリがインストールされると、アプリケーションのダウンロードを提供してもよい。例えば、ファイル提供部５１２は、アプリストアアプリがインストールされていないユーザに対し、アプリストアアプリページを経て取り込んだ識別情報を内部データベースとして生成し、当該識別情報に対する固有のマッチングキーを生成した後、マッチングキーを含んだファイルとアプリストアアプリのインストールファイルを合体させたファイルのダウンロードのためのリンクをアプリストアアプリページ上に提供してもよい。これにより、ユーザ端末機は、アプリストアアプリページを経て合体したファイルをダウンロードしてアプリストアアプリをインストールできるようになるが、このとき、インストールしたアプリストアアプリを駆動させると、ダウンロードしたファイルからマッチングキーを含むファイルを探し、アプリストアアプリを経てマッチングキーをマーケティングチャネル追跡システム５００に送信できるようになる。
【００６５】
段階６３０で、情報マッチング部５１３は、ユーザ端末機から、エディタから受けた識別情報とユーザ識別子を受信し、アプリケーション、エディタ、およびユーザを互いに関連付けて格納してもよい。言い換えれば、情報マッチング部５１３は、ユーザ識別子と識別情報を含むエディタ識別子およびアプリケーション識別子を互いに関連付けて格納するマーケティングチャネルとユーザ間のマッチングにより、アプリケーションに対するマーケティングチャネルを追跡できるようになる。このとき、アプリストアアプリが予めインストールされていないユーザ端末機でアプリストアアプリをインストールした後にマッチングキーを送信する場合には、情報マッチング部５１３は、内部データベースでユーザ端末機から送信されたマッチングキーに対応する識別情報を確認してマーケティングチャネルとユーザ間のマッチングを処理してもよい。
【００６６】
本発明に係るマーケティングチャネル追跡方法およびマーケティングチャネル追跡システムでは、アプリケーションを広報するエディタのマーケティングチャネルとアプリケーションをダウンロードしたユーザ間の情報マッチングにより、アプリケーションに対するマーケティングチャネルを追跡することができる。
【００６７】
このように、本発明の実施形態によると、アプリケーションをダウンロードするときに、アプリケーション，エディタおよびユーザを関連付けて格納することにより、マーケティングチャネルとユーザ間のマッチングを、別途の作業時間を必要とせずにほぼリアルタイムで行うことができる。また、マーケティングチャネルとユーザ間のマッチングによってアプリケーションに対するマーケティングチャネルを完璧に追跡することができ、特に、アプリストアアプリがインストールされていないユーザを対象としてアプリストアアプリのインストールを支援した後、アプリケーションをダウンロードするときにマーケティングチャネルとユーザ間のマッチングを処理することにより、マーケティングチャネルを経て流入したユーザのうち、アプリストアアプリがインストールされていないユーザを追跡することも可能となる。
【００６８】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる他の装置のように、１つ以上の汎用コンピュータまたは特殊目的コンピュータを利用して実現されてもよい。処理装置は、オペレーティングシステム（ＯＳ）およびオペレーティングシステム上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、当該技術分野において通常の知識を有する者は、処理装置が複数の処理要素（ｐｒｏｃｅｓｓｉｎｇ  ｅｌｅｍｅｎｔ）および／または複数類型の処理要素を含んでもよいことを理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００６９】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望のとおりに動作するように処理装置を構成したり、独立的または結合的に（ｃｏｌｌｅｃｔｉｖｅｌｙ）処理装置を命令したりしてもよい。ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。ソフトウェアは、ネットワークによって接続されたコンピュータシステム上に分散し、分散した方法によって格納されたり実行されたりしてもよい。ソフトウェアおよびデータは、１つ以上のコンピュータで読み取り可能な記録媒体に格納されてもよい。
【００７０】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００７１】
以上のように、実施形態を限定された実施形態と図面に基づいて説明したが、当該技術分野において通常の知識を有する者であれば、上述した記載から多様な修正および変形が可能であることが理解できるであろう。例えば、説明された技術が説明された方法とは異なる順序で実行されたり、説明されたシステム、構造、装置、回路などの構成要素が説明された方法とは異なる形態で結合または組み合わされたり、他の構成要素または均等物によって対置されたり置換されたとしても、適切な結果を達成することができる。
【００７２】
したがって、異なる実施形態であっても、特許請求の範囲と均等なものであれば、添付される特許請求の範囲に属する。
【符号の説明】
【００７３】
５００：マーケティングチャネル追跡システム
５１１：生成部
５１２：ファイル提供部
５１３：情報マッチング部
【図１】
2015210825.tif 000003
【図２】
2015210825.tif 000004
【図３】
2015210825.tif 000005
【図４】
2015210825.tif 000006
【図５】
2015210825.tif 000007
【図６】
2015210825.tif 000008